Podtech/llm-jp-corpus-v4-ja_patent huggingface dataset:
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
動画の配信を切り替える分岐まで、グループに登録された複数の端末と、前記グループに登録されていない端末に第１動画を配信し、
前記分岐より後に、
前記複数の端末のうち一部の端末と、前記グループに登録されていない端末に第２動画を配信し、
前記複数の端末のうち前記一部の他の他端末に、前記第２動画と画像又は音の少なくとも一方が異なる第３動画を配信する配信手段
を備える情報処理装置。
【請求項２】
前記配信手段は、
前記一部の端末に、前記他端末と異なる動画が配信されていることを報知する
請求項１記載の情報処理装置。
【請求項３】
前記配信手段は、
前記一部の端末に、前記第２動画を前記他端末に共有する共有ボタンを表示し、
前記共有ボタンの操作に基づき、前記他端末に前記第２動画と前記第３動画を共に配信する、
請求項１又は２記載の情報処理装置。
【請求項４】
前記配信手段は、
前記分岐の際に、前記複数の端末の視聴環境が所定条件を満たした場合に、
前記複数の端末のうち一部の端末と、前記グループに登録されていない端末に第２動画を配信し、
前記複数の端末のうち前記一部の他の他端末に、前記第２動画と画像又は音の少なくとも一方が異なる第３動画を配信する
請求項１から請求項３の何れか１項記載の情報処理装置。
【請求項５】
動画の配信を切り替える分岐まで、グループに登録された複数の端末と、前記グループに登録されていない端末に第１動画をコンピュータが配信し、
前記分岐より後に、
前記複数の端末のうち一部の端末と、前記グループに登録されていない端末に第２動画をコンピュータが配信し、
前記複数の端末のうち前記一部の他の他端末に、前記第２動画と画像又は音の少なくとも一方が異なる第３動画をコンピュータが配信する
動画配信方法。
【請求項６】
動画の配信を切り替える分岐まで、グループに登録された複数の端末と、前記グループに登録されていない端末に第１動画を配信し、
前記分岐より後に、
前記複数の端末のうち一部の端末と、前記グループに登録されていない端末に第２動画を配信し、
前記複数の端末のうち前記一部の他の他端末に、前記第２動画と画像又は音の少なくとも一方が異なる第３動画を配信する、処理をコンピュータに実行させるプログラム。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
撮像対象領域の被写体が複数の異なる方向から撮像されることにより得られた複数の画像を取得する画像取得手段と、
仮想視点の位置の情報を含む視点情報を取得する情報取得手段と、
前記撮像対象領域の基準点の位置と前記情報取得手段により取得された視点情報により特定される仮想視点の位置との位置関係に基づいて、前記撮像対象領域内の被写体の形状データの解像度を決定する決定手段と、
前記決定手段により決定された解像度に応じた前記被写体の形状データと、前記画像取得手段により取得された複数の画像と、前記情報取得手段により取得された視点情報とに基づいて、仮想視点画像を生成する生成手段と、
を有することを特徴とする画像生成装置。
【請求項２】
前記決定手段は、前記基準点の位置と、前記情報取得手段により取得される視点情報により特定される仮想視点の位置との距離に基づいて、前記被写体の形状データの解像度を決定することを特徴とする請求項１に記載の画像生成装置。
【請求項３】
前記決定手段は、さらに、前記仮想視点画像における前記基準点に対応する箇所の解像度として指定された解像度に基づいて、前記被写体の形状データの解像度を決定することを特徴とする、請求項１又は２に記載の画像生成装置。
【請求項４】
前記仮想視点画像における前記基準点に対応する箇所の解像度は、ユーザにより指定されることを特徴とする、請求項３に記載の画像生成装置。
【請求項５】
前記決定手段は、前記基準点に位置する被写体を前記仮想視点画像において表す領域の解像度が、所定の値以上となるように、前記被写体の形状データの解像度を決定することを特徴とする、請求項１から４のいずれか１項に記載の画像生成装置。
【請求項６】
前記決定手段は、さらに前記仮想視点画像の解像度に基づいて、前記被写体の形状データの解像度を決定することを特徴とする、請求項１から５のいずれか１項に記載の画像生成装置。
【請求項７】
前記撮像対象領域を撮像する複数の撮像装置の位置の情報を含む装置情報を取得する装置情報取得手段をさらに有し、
前記決定手段は、さらに前記装置情報取得手段により取得された装置情報により特定される前記複数の撮像装置の位置に基づいて、前記被写体の形状データの解像度を決定することを特徴とする、請求項１から６のいずれか１項に記載の画像生成装置。
【請求項８】
前記基準点の位置は、前記撮像対象領域の被写体の位置であることを特徴とする、請求項１から７のいずれか１項に記載の画像生成装置。
【請求項９】
前記撮像対象領域に複数の被写体が存在し、
前記決定手段は、前記基準点の位置として、前記複数の被写体のうちの一つの被写体の位置を選択することを特徴とする請求項８に記載の画像生成装置。
【請求項１０】
前記選択される一つの被写体は、前記仮想視点の位置に最も近い被写体であることを特徴とする、請求項９に記載の画像生成装置。
【請求項１１】
前記撮像対象領域に複数の被写体が存在し、
前記決定手段は、前記基準点の位置としての前記複数の被写体のそれぞれの位置と、前記仮想視点の位置との位置関係に基づいて、それぞれの被写体の形状データの解像度を決定することを特徴とする、請求項８に記載の画像生成装置。
【請求項１２】
前記複数の画像に基づいて、前記決定手段により決定された解像度に応じた前記被写体の形状データを生成するデータ生成手段をさらに有することを特徴とする、請求項１から１１のいずれか１項に記載の画像生成装置。
【請求項１３】
前記解像度は、前記被写体の形状データを構成する要素の大きさに基づくことを特徴とする、請求項１から１２のいずれか１項に記載の画像生成装置。
【請求項１４】
画像生成装置が行う画像生成方法であって、
撮像対象領域の被写体が複数の異なる方向から撮像されることにより得られた複数の画像を取得する画像取得工程と、
仮想視点の位置の情報を含む視点情報を取得する情報取得工程と、
前記撮像対象領域の基準点の位置と前記情報取得工程において取得された視点情報により特定される仮想視点の位置との位置関係に基づいて、前記撮像対象領域内の被写体の形状データの解像度を決定する決定工程と、
前記決定工程において決定された解像度に応じた前記被写体の形状データと、前記画像取得工程において取得された複数の画像と、前記情報取得工程において取得された視点情報とに基づいて、仮想視点画像を生成する生成工程と、
を有することを特徴とする画像生成方法。
【請求項１５】
コンピュータを請求項１乃至１３の何れか１項に記載の画像生成装置として機能させるためのプログラム。
【手続補正２】
【補正対象書類名】明細書
【補正対象項目名】０００７
【補正方法】変更
【補正の内容】
【０００７】
本発明の目的を達成するために、例えば、本発明の画像生成装置は以下の構成を有する。すなわち、
撮像対象領域の被写体が複数の異なる方向から撮像されることにより得られた複数の画像を取得する画像取得手段と、
仮想視点の位置の情報を含む視点情報を取得する情報取得手段と、
前記撮像対象領域の基準点の位置と前記情報取得手段により取得された視点情報により特定される仮想視点の位置との位置関係に基づいて、前記撮像対象領域内の被写体の形状データの解像度を決定する決定手段と、
前記決定手段により決定された解像度に応じた前記被写体の形状データと、前記画像取得手段により取得された複数の画像と、前記情報取得手段により取得された視点情報とに基づいて、仮想視点画像を生成する生成手段と、
を有することを特徴とする。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
物語の進行に関するユーザに選択可能なオブジェクトを含むデータを複数の情報処理端末に配信するデータ配信手段と、
前記複数の情報処理端末のうち、少なくとも１の情報処理端末の前記オブジェクトの選択に基づいて、前記物語を進行させる進行変化手段と、
を備える情報処理装置。
【請求項２】
前記進行変化手段は、前記オブジェクトがユーザに選択されるまで、前記オブジェクトに対応付けられた画像を前記情報処理端末に表示させる請求項１記載の情報処理装置。
【請求項３】
複数の情報処理端末で構成されるグループの登録を受け付けるグループ登録手段を備え、
前記進行変化手段は、前記グループとして登録された前記複数の情報処理端末のうち一部の前記情報処理端末に対して、前記画像を表示させる請求項２記載の情報処理装置。
【請求項４】
前記進行変化手段は、前記オブジェクトが選択されない場合、前記グループとして登録された前記複数の情報処理端末において、前記画像を表示させる前記情報処理端末の数を増加させる請求項３記載の情報処理装置。
【請求項５】
前記進行変化手段は、前記オブジェクトが複数表示されている場合、前記グループ内でユーザの選択数に応じて前記物語の進行を変化させる請求項３または４記載の情報処理装置。
【請求項６】
前記グループとして登録された一部の前記情報処理端末に、正答及び誤答を示す複数の選択肢が表示され、
前記グループとして登録された他の前記情報処理端末に、正答を導き出すためのヒントが表示され、
前記進行変化手段は、前記ユーザが選択した前記選択肢に応じて、前記物語の進行を変化させる請求項３から請求項５の何れか１項記載の情報処理装置。
【請求項７】
前記画像は、表示される前記情報処理端末毎に異なる請求項２〜６の何れか１項記載の情報処理装置。
【請求項８】
前記情報処理端末を介して音を検知する検知手段を備え、
前記進行変化手段は、検知した音に応じて前記オブジェクトの数を変化させる
請求項５記載の情報処理装置。
【請求項９】
前記進行変化手段は、前記情報処理端末の位置情報・天候・明るさ情報などの何れかに基づいて、前記物語の進行を変化させる請求項１から請求項８の何れか１項記載の情報処理装置。
【請求項１０】
前記情報処理端末は、ユーザがゲームを行うためのゲーム画像を表示し、
前記進行変化手段は、ユーザが行った前記ゲームの結果に応じて、前記物語の進行を変化させる請求項１から請求項９の何れか１項記載の情報処理装置。
【請求項１１】
前記進行変化手段は、前記グループとして登録された前記情報処理端末の一部で、前記物語の進行が異なるようにする請求項１から請求項９の何れか１項記載の情報処理装置。
【請求項１２】
物語の進行に関するユーザに選択可能なオブジェクトを含むデータを複数の情報処理端末に配信するデータ配信工程と、
前記複数の情報処理端末のうち、少なくとも１の情報処理端末の前記オブジェクトの選択に基づいて、前記物語を進行させる進行変化工程と、
を有する情報処理方法。
【請求項１３】
コンピュータを、
物語の進行に関するユーザに選択可能なオブジェクトを含むデータを複数の情報処理端末に配信するデータ配信手段と、
前記複数の情報処理端末のうち、少なくとも１の情報処理端末の前記オブジェクトの選択に基づいて、前記物語を進行させる進行変化手段と、
して機能させるためのプログラム。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
複数の情報処理端末へ動画データを配信する情報処理装置であって、
複数の前記情報処理端末で構成されるグループの登録を受け付けるグループ登録手段と、
前記グループとして登録された複数の前記情報処理端末に動画データを配信する動画データ配信手段と、
を備え、
前記動画データ配信手段は、動画の進行が変化する分岐に対応するように、複数の異なる前記動画データを含む分岐用動画データを前記情報処理端末に配信し、
前記分岐用動画データに含まれる複数の異なる前記動画データのうち、前記分岐に応じた前記動画データが前記情報処理端末で再生される情報処理装置。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
スケジュール情報を格納するスケジュール情報格納部と、
作業行動の内容と、作業行動により作業者に生じる負荷と、を対応付けたテーブルを格納したテーブル格納部と、
前記作業行動により作業者に生じた負荷に対応する検出値を参照し、且つ、前記テーブル格納部に格納されたテーブルを参照することにより、当該作業行動の内容を特定する特定部と、
前記スケジュール情報格納部から前記スケジュール情報を参照し、前記特定部で特定された作業行動が、前記スケジュール情報と整合するか否かを判定する判定部と、
前記判定部により前記スケジュール情報に整合すると判定された作業行動を、作業記録として報告するデータを出力する出力部と
を備える作業報告作成装置。
【請求項２】
前記スケジュール情報格納部は、前記スケジュール情報を、作業者識別情報及び／又は作業対象識別情報に関連付けて格納し、
前記出力部は、前記作業者識別情報及び／又は前記作業対象識別情報の少なくとも一方と関連付けた作業記録としてデータを出力することを特徴とする、請求項１に記載の作業報告作成装置。
【請求項３】
前記判定部は、前記スケジュール情報格納部から前記特定部が特定した作業行動を実行した作業者の作業者識別情報を取得し、前記特定部で特定された作業行動が前記スケジュール情報と整合するか否かを判定する、請求項２に記載の作業報告作成装置。
【請求項４】
前記特定部で参照する前記検出値は、作業者の姿勢に基づいて検出された作業者に生じた負荷および、作業者の生体情報に基づいて検出された作業者に生じた負荷の少なくとも一方である、請求項１から３のいずれか一項に記載の作業報告作成装置。
【請求項５】
作業者に生じた負荷を検出値として受け付ける受付部を備え、
前記特定部は、前記受付部に受け付けた前記検出値を参照する、請求項１から４のいずれか一項に記載の作業報告作成装置。
【請求項６】
前記特定部は、前記作業行動が実行の対象となる作業対象の識別情報、並びに、作業を実行する日時および場所の少なくともいずれかに基づいて前記作業行動の内容を特定する、請求項１から５のいずれか一項に記載の作業報告作成装置。
【請求項７】
前記出力部は、前記作業行動に係る請求額を含むデータを出力する請求項１から６のいずれか一項に記載の作業報告作成装置。
【請求項８】
前記特定部は、前記スケジュール情報格納部に格納されたスケジュール情報との整合性に基づいて前記作業行動の内容を特定する、請求項１から７のいずれか一項に記載の作業報告作成装置。
【請求項９】
請求項１から８までのいずれか一項に記載の作業報告作成装置と、
作業者に携帯され、前記作業行動により作業者に生じた負荷を検出して、通信回線を介して前記負荷を前記特定部に参照させる検出部と
を備える作業報告作成システム。
【請求項１０】
スケジュール情報をスケジュール情報格納部に格納する段階と、
作業行動の内容と、作業行動により作業者に生じる負荷と、を対応付けたテーブルをテーブル格納部に格納する段階と、
前記作業行動により作業者に生じた負荷に対応する検出値を参照し、且つ、前記テーブル格納部に格納された前記テーブルを参照することにより、当該作業行動の内容を特定する段階と、
前記スケジュール情報格納部から前記スケジュール情報を参照し、前記特定する段階で特定された作業行動が、前記スケジュール情報と整合するか否かを判定する段階と、
前記判定する段階において前記スケジュール情報に整合すると判定された作業行動を、作業記録として報告するデータを出力する段階と、
を備える作業報告作成方法。
【請求項１１】
スケジュール情報をスケジュール情報格納部に格納するステップと、
作業行動の内容と、作業行動により作業者に生じる負荷と、を対応付けたテーブルをテーブル格納部に格納するステップと、
前記作業行動により作業者に生じた負荷に対応する検出値を参照し、且つ、前記テーブル格納部に格納された前記テーブルを参照することにより、当該作業行動の内容を特定するステップと、
前記スケジュール情報格納部から前記スケジュール情報を参照し、前記特定するステップで特定された作業行動が、前記スケジュール情報と整合するか否かを判定するステップと、
前記判定するステップにおいて前記スケジュール情報に整合すると判定された作業行動を、作業記録として報告するデータを出力するステップと、
を、電子計算機に実行させる作業報告作成プログラム。
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
複数対象それぞれの制御プログラムであって、対応する前記対象の挙動を制御する複数命令を含む制御プログラムを格納する格納部と、
ディスプレイを制御する表示制御部と、
各前記対象の挙動を推定するプログラムであって、前記各対象の前記制御プログラムが有する前記複数命令を含むエミュレータプログラムを実行する実行部と、
前記各対象のエミュレータプログラムの実行により推定される前記各対象の挙動を３次元仮想空間に描画する描画データを生成する描画データ生成部と、を備え、
前記表示制御部は、
前記複数対象それぞれの制御プログラムのうちの少なくとも１つの前記複数命令の表示と、前記描画データに従う各対象の挙動を表す描画とを同一の画面において行うよう、前記ディスプレイを制御する、情報処理装置。
【請求項２】
前記実行部は、予め定められた共通の周期で、前記各対象のエミュレータプログラムを実行する、請求項１に記載の情報処理装置。
【請求項３】
前記表示制御部は、
前記画面における前記少なくとも１つの制御プログラムの前記複数命令のうち、前記実行部による実行中の命令の表示態様を、他の命令とは異ならせるよう、前記ディスプレイを制御する、請求項１または２に記載の情報処理装置。
【請求項４】
前記各対象の描画データは、当該対象の前記３次元仮想空間における位置を示すデータを含み、
前記各対象の前記描画データが示す当該対象の前記３次元仮想空間における位置を検証する検証部をさらに、備え、
前記表示制御部は、
前記検証の結果が予め定められた条件を満たすとき、前記実行中の命令の表示態様を、他の命令とは異ならせるよう、前記ディスプレイを制御する、請求項２または３に記載の情報処理装置。
【請求項５】
前記予め定められた条件は、
前記３次元仮想空間における各対象の位置間の相対的な関係が特定位置関係を示すとの条件を含む、請求項４に記載の情報処理装置。
【請求項６】
前記相対的な位置関係が前記特定位置関係を示すことは、前記位置間の距離が特定距離を示すことを含む、請求項５に記載の情報処理装置。
【請求項７】
前記検証の結果が予め定められた条件を満たすとき、前記実行部は前記各対象のエミュレータプログラムの実行を停止する、請求項４から６のいずれか１項に記載の情報処理装置。
【請求項８】
前記検証の結果が予め定められた条件を満たすとき、前記表示制御部は、前記描画データに従う各対象の描画を停止するよう、前記ディスプレイを制御する、請求項４から７のいずれか１項に記載の情報処理装置。
【請求項９】
前記予め定められた共通の周期を示す信号を発生する周期生成部を、さらに備え、
前記検証の結果が前記予め定められた条件を満たすとき、前記周期生成部は前記信号の発生を停止する、請求項４から８のいずれか１項に記載の情報処理装置。
【請求項１０】
前記各対象の前記制御プログラムのうち少なくとも１つのプログラム言語は、他の対象に対応の前記制御プログラムのプログラム言語とは相違する、請求項１から９のいずれか１項に記載の情報処理装置。
【請求項１１】
前記少なくとも１つの制御プログラムのプログラム言語は、逐次実行型言語を含む、請求項１０に記載の情報処理装置。
【請求項１２】
前記少なくとも１つの制御プログラムのプログラム言語は、サイクリック実行型言語を含む、請求項１０または１１に記載の情報処理装置。
【請求項１３】
前記情報処理装置は、
当該情報処理装置に対するユーザの入力を受付ける受付部と、
前記受付部により受付けた入力に基づき、前記格納部に格納された各対象の前記制御プログラムを編集する編集部を、さらに備える、請求項１から１２のいずれか１項に記載の情報処理装置。
【請求項１４】
複数対象それぞれの制御プログラムであって、対応する前記対象の挙動を制御する複数命令を含む制御プログラムを、情報処理装置が処理する方法であって、
各前記対象の挙動を推定するプログラムであって、前記各対象の前記制御プログラムが有する前記複数命令を含むエミュレータプログラムを実行するステップと、
前記各対象のエミュレータプログラムの実行により推定される前記各対象の挙動を３次元仮想空間に描画する描画データを生成するステップと、
前記複数対象それぞれの制御プログラムのうちの少なくとも１つの前記複数命令の表示と、前記描画データに従う各対象の挙動を表す描画とをディスプレイの同一の画面において行うよう、前記ディスプレイを制御するステップと、を備える、情報処理方法。
【請求項１５】
請求項１４に記載の情報処理方法をコンピュータに実行させるためのプログラム。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
絶縁表面を有する基板と、
前記絶縁表面に配置された複数の画素が配列する画素部と、
前記絶縁表面上で前記画素部の外側の領域に配置される第１端子と、前記第１端子より内側の領域に配置された第２端子と、を含む端子部と、
前記画素部と前記端子部との間に配置される第１配線を含む配線部と、
前記画素部に重ねて配置されたセンシング部と、
前記画素部及び前記配線部を覆う封止部と、を含み、
前記封止部は、
第１無機絶縁層、有機絶縁層、及び第２無機絶縁層を前記基板側からこの順で含み、
前記有機絶縁層は前記画素部と重なる領域に配置され、前記第１無機絶縁層及び前記第２無機絶縁層は前記画素部及び前記配線部と重なる領域に配置され、
前記基板と前記第１無機絶縁層との間に層間絶縁膜を含み、
前記センシング部は、
前記第１無機絶縁層より上層側であって、前記第２無機絶縁層より下層側に配置された第１検出電極と、
前記第２無機絶縁層の上層側に配置された第２検出電極と、を含み、
前記配線部は、
前記第１配線が、前記第２無機絶縁層に設けられた開口部で、前記第１検出電極と電気的に接続され、かつ、前記第２無機絶縁層の外側領域に延伸して、前記第２端子と電気的に接続され、
前記層間絶縁膜は、前記第１端子と前記第２端子との間に、前記層間絶縁膜を貫通する開口領域を有することを特徴とする表示装置。
【請求項２】
前記第１検出電極は、前記第１無機絶縁層と前記有機絶縁層との間に配置される、請求項１に記載の表示装置。
【請求項３】
前記第１検出電極は、前記有機絶縁層と前記第２無機絶縁層との間に配置される、請求項１に記載の表示装置。
【請求項４】
前記層間絶縁膜は、前記第２端子と前記開口部との間に、前記層間絶縁膜を貫通する開口領域をさらに有する、請求項１から請求項３のいずれか一つに記載の表示装置。
【請求項５】
前記基板と前記第１無機絶縁層との間に層間絶縁膜を含み、
前記層間絶縁膜は、前記開口部と前記画素部との間に、前記層間絶縁膜を貫通する開口領域をさらに有する、請求項１から請求項３のいずれか一つに記載の表示装置。
【請求項６】
前記第１検出電極及び前記第２検出電極は、いずれも、チタン層、アルミニウム層及びチタン層を含む積層構造を有するメッシュ配線で形成されることを特徴とする請求項１に記載の表示装置。
【請求項７】
前記第１検出電極は、チタン層、アルミニウム層及びチタン層を含む積層構造を有するメッシュ配線で形成され、前記第２検出電極は、透明電極からなるダイヤモンド電極であることを特徴とする請求項１に記載の表示装置。
【請求項８】
前記第１検出電極は、透明電極からなるダイヤモンド電極であり、前記第２検出電極は、チタン層、アルミニウム層及びチタン層を含む積層構造を有するメッシュ配線で形成されることを特徴とする請求項１に記載の表示装置。
【請求項９】
絶縁表面を有する基板上に複数の画素を配列した画素部を形成し、
前記絶縁表面上で前記画素部の外側の領域に第１端子を含む端子部を形成し、
前記絶縁表面上で前記画素部と前記端子部の間に第２端子を形成し、
前記画素部を覆う第１無機絶縁層を形成し、
前記第１無機絶縁層上に、第１方向に延びる第１検出電極層を形成し、
前記第１検出電極層を覆う有機絶縁層を形成し、
前記有機絶縁層を覆う第２無機絶縁層を形成し、
前記基板と前記第１無機絶縁層との間に層間絶縁膜を形成し、
前記第２端子上の前記第１無機絶縁層と前記第２無機絶縁層とを除去するとともに、前記第２絶縁層に前記第１検出電極層を露出する開口部を形成し、
前記第１端子と前記第２端子との間に、前記層間絶縁膜を貫通する開口領域を形成し、
前記第２無機絶縁層上に、前記第１方向と交差する方向に延びる第２検出電極層を形成するとともに、前記第２端子に接続し、前記第２無機絶縁層に設けられた開口部で、前記第１検出電極に接続する第１配線を形成することを特徴とする表示装置の製造方法。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
記憶部及びユーザ端末と接続可能なサーバの制御方法であって、
前記記憶部には、複数の検索条件と、店舗の特徴を示す複数の特徴情報と、複数の店舗毎に、各店舗に対応する前記検索条件、及び、当該検索条件に対応する前記特徴情報が関連付けられた店舗テーブルとが記憶され、
前記サーバが、
ユーザ端末からユーザにより指定された前記検索条件を含む店舗一覧表示要求を受信し、
前記店舗一覧表示要求に含まれる前記検索条件に関連付けられた店舗を前記店舗テーブルから抽出し、
前記抽出した各店舗を、前記店舗テーブルにおいて前記店舗一覧表示要求に含まれる前記検索条件に関連付けられた前記特徴情報の数に基づいて表示する表示データをユーザ端末に送信する、
ことを特徴とするサーバの制御方法。
【請求項２】
前記送信において、前記抽出した各店舗を前記特徴情報の数が多い順に表示する前記表示データを前記ユーザ端末に送信する、請求項１に記載のサーバの制御方法。
【請求項３】
さらに、ユーザが要求する店舗の特徴に対応する前記特徴情報を取得し、
前記送信において、前記抽出した各店舗を、前記店舗テーブルにおいて前記店舗一覧表示要求に含まれる前記検索条件に関連付けられた前記特徴情報の内、前記取得した特徴情報と一致する特徴情報の数に基づいて順位付けした順に並べて表示する前記表示データを前記ユーザ端末に送信する、請求項１または２に記載の制御方法。
【請求項４】
前記取得において、ユーザ端末から受信したユーザにより指定された前記特徴情報を、ユーザが要求する店舗の特徴に対応する前記特徴情報として取得する、請求項３に記載の制御方法。
【請求項５】
前記取得において、ユーザが過去に予約、閲覧、又はブックマーク登録を行った店舗の特徴に対応する前記特徴情報を、ユーザが要求する店舗の特徴に対応する前記特徴情報として取得する、請求項３に記載の制御方法。
【請求項６】
前記取得において、ユーザが要求する店舗の特徴に対応する複数の前記特徴情報と、各特徴情報の優先度とを取得し、
前記送信において、各特徴情報の優先度に基づいて、前記特徴情報の数を補正する、請求項３〜５の何れか一項に記載の制御方法。
【請求項７】
前記検索条件は、ユーザが各店舗を利用する利用シーン又は利用目的である、請求項１〜６の何れか一項に記載の制御方法。
【請求項８】
前記特徴情報は、店舗の特徴として、各店舗が有する設備を示す、請求項１〜７の何れか一項に記載の制御方法。
【請求項９】
記憶部及びユーザ端末と接続可能なサーバであって、
前記記憶部には、複数の検索条件と、店舗の特徴を示す複数の特徴情報と、複数の店舗毎に、各店舗に対応する前記検索条件、及び、当該検索条件に対応する前記特徴情報が関連付けられた店舗テーブルとが記憶され、
ユーザ端末からユーザにより指定された前記検索条件を含む店舗一覧表示要求を受信する受信部と、
前記店舗一覧表示要求に含まれる前記検索条件に関連付けられた店舗を前記店舗テーブルから抽出する抽出部と、
前記抽出した各店舗を、前記店舗テーブルにおいて前記店舗一覧表示要求に含まれる前記検索条件に関連付けられた前記特徴情報の数に基づいて表示する表示データをユーザ端末に送信する送信部と、
を有することを特徴とするサーバ。
【請求項１０】
記憶部及びユーザ端末と接続可能なサーバの制御プログラムであって、
前記記憶部には、複数の検索条件と、店舗の特徴を示す複数の特徴情報と、複数の店舗毎に、各店舗に対応する前記検索条件、及び、当該検索条件に対応する前記特徴情報が関連付けられた店舗テーブルとが記憶され、
前記サーバに、
ユーザ端末からユーザにより指定された前記検索条件を含む店舗一覧表示要求を受信し、
前記店舗一覧表示要求に含まれる前記検索条件に関連付けられた店舗を前記店舗テーブルから抽出し、
前記抽出した各店舗を、前記店舗テーブルにおいて前記店舗一覧表示要求に含まれる前記検索条件に関連付けられた前記特徴情報の数に基づいて表示する表示データをユーザ端末に送信する、
ことを実行させることを特徴とする制御プログラム。
【手続補正書】
【提出日】令和2年7月29日(2020.7.29)
【手続補正１】
【補正対象書類名】明細書
【補正対象項目名】００１０
【補正方法】変更
【補正の内容】
【００１０】
本発明の請求項１に係る表示制御装置は、第１のオブジェクトが内部に埋め込まれている第２のオブジェクトを画面に表示するよう制御する表示制御装置において、前記第２のオブジェクトの前記第１のオブジェクトが埋め込まれている領域以外の領域に対するユーザーの第１動作に応答して、前記第２のオブジェクトの表示内容の更新を開始する開始手段と、前記第１動作の受け付けを終了した後も、前記受け付けられていた第１動作に基づき前記第２のオブジェクトの表示内容の更新を継続する継続手段と、前記第２のオブジェクトの前記第１のオブジェクトが埋め込まれている領域に対するユーザーの第２動作を受け付けたときに、前記継続手段により前記第２のオブジェクトの表示内容の更新が継続されていれば、前記第１のオブジェクトの表示内容を更新することなく、前記第２動作に応答して、前記第２のオブジェクトの表示内容を更新し、前記第２動作を受け付けたときに、前記継続手段により前記第２のオブジェクトの表示内容の更新が継続されていなければ、前記第２動作に応答して前記第１のオブジェクトの表示内容を更新するよう制御する制御手段とを備えることを特徴とする。
【手続補正２】
【補正対象書類名】特許請求の範囲
【補正対象項目名】全文
【補正方法】変更
【補正の内容】
【特許請求の範囲】
【請求項１】
第１のオブジェクトが内部に埋め込まれている第２のオブジェクトを画面に表示するよう制御する表示制御装置において、
前記第２のオブジェクトの前記第１のオブジェクトが埋め込まれている領域以外の領域に対するユーザーの第１動作に応答して、前記第２のオブジェクトの表示内容の更新を開始する開始手段と、
前記第１動作の受け付けを終了した後も、前記受け付けられていた第１動作に基づき前記第２のオブジェクトの表示内容の更新を継続する継続手段と、
前記第２のオブジェクトの前記第１のオブジェクトが埋め込まれている領域に対するユーザーの第２動作を受け付けたときに、前記継続手段により前記第２のオブジェクトの表示内容の更新が継続されていれば、前記第１のオブジェクトの表示内容を更新することなく、前記第２動作に応答して、前記第２のオブジェクトの表示内容を更新し、
前記第２動作を受け付けたときに、前記継続手段により前記第２のオブジェクトの表示内容の更新が継続されていなければ、前記第２動作に応答して前記第１のオブジェクトの表示内容を更新するよう制御する制御手段とを備えることを特徴とする表示制御装置。
【請求項２】
前記画面を表示するタッチパネルをさらに備え、
前記第１動作は、前記第２のオブジェクトの前記第１のオブジェクトが埋め込まれている領域以外の領域に対するフリック動作であり、前記第２動作は前記第２のオブジェクトの前記第１のオブジェクトが埋め込まれている領域に対するフリック動作であることを特徴とする請求項１記載の表示制御装置。
【請求項３】
前記第１のオブジェクトは、地図オブジェクト、画像オブジェクト、カレンダーオブジェクト、文章オブジェクト、及びテクスチャーオブジェクトのいずれか１つであることを特徴とする請求項１または２に記載の表示制御装置。
【請求項４】
前記第２のオブジェクトは、Ｗｅｂページであることを特徴とする請求項１乃至３のいずれか１項に記載の表示制御装置。
【請求項５】
前記第１動作は、前記第２のオブジェクトの前記第１のオブジェクトが埋め込まれている領域以外の領域に対するフリック動作であり、
前記継続手段は、前記フリック操作があった方向にしたがって前記第２のオブジェクトをスクロールすることによって前記第２のオブジェクトの表示内容の更新を継続することを特徴とする請求項１乃至４のいずれか１項に記載の表示制御装置。
【請求項６】
前記制御手段は、第２動作を受け付けたときに、前記継続手段により前記第２のオブジェクトの表示内容の更新が継続されていれば、前記第１のオブジェクトの表示内容を更新しないが、前記画面に表示された前記第２のオブジェクトにおける前記第１のオブジェクトの位置を更新するよう制御することを特徴とする請求項１乃至５のいずれか１項に記載の表示制御装置。
【請求項７】
第１のオブジェクトが内部に埋め込まれている第２のオブジェクトを画面に表示するよう制御する表示制御装置の制御方法において、
前記第２のオブジェクトの前記第１のオブジェクトが埋め込まれている領域以外の領域に対するユーザーの第１動作に応答して、前記第２のオブジェクトの表示内容の更新を開始する開始ステップと、
前記第１動作の受け付けを終了した後も、前記受け付けられていた第１動作に基づき前記第２のオブジェクトの表示内容の更新を継続する継続ステップと、
前記第２のオブジェクトの前記第１のオブジェクトが埋め込まれている領域に対するユーザーの第２動作を受け付けたときに、前記第２のオブジェクトの表示内容の更新が継続されていれば、前記第１のオブジェクトの表示内容を更新することなく、前記第２動作に応答して、前記第２のオブジェクトの表示内容を更新し、
前記第２動作を受け付けたときに、前記継続手段により前記第２のオブジェクトの表示内容の更新が継続されていなければ、前記第２動作に応答して前記第１のオブジェクトの表示内容を更新するよう制御する制御ステップとを有することを特徴とする制御方法。
【請求項８】
コンピュータを請求項１乃至６のいずれか一項に記載の表示制御装置の各手段として機能させるプログラム。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
電極板と前記電極板の第１面に設けられた正極と前記電極板の第２面に設けられた負極とをそれぞれ含む複数のバイポーラ電極がセパレータを介して積層された蓄電モジュールであって、
前記複数のバイポーラ電極の積層方向に延在し、前記複数のバイポーラ電極を収容する筒状の樹脂部を備え、
前記樹脂部は、前記電極板の周縁部に接合された枠体が前記積層方向に積層された第１シール部と、前記積層方向に交差する方向において前記第１シール部の外側に設けられた第２シール部とを有し、
前記枠体は、前記電極板の前記周縁部に接合された第１枠体と、前記第１枠体上に配置された第２枠体とを有し、
前記第２シール部は、前記第１枠体に接合され、隣り合う前記第１枠体間をシールしており、
前記第１枠体の内周端と前記第２枠体の内周端とが前記積層方向に交差する方向において互いに異なる位置にあることによって段差部が形成されており、
前記第１枠体の前記内周端が、前記第２枠体の前記内周端よりも内側に配置されており、
前記段差部には、前記セパレータが配置される、蓄電モジュール。
【請求項２】
前記第１枠体と前記第２枠体とが、部分的に溶着されている、請求項１に記載の蓄電モジュール。
【請求項３】
前記複数のバイポーラ電極と前記樹脂部との間に内部空間が形成されており、
前記第２枠体には、前記積層方向に交差する方向に前記第２枠体を貫通し、前記内部空間と連通する開口が形成されている、請求項１又は２に記載の蓄電モジュール。
【請求項４】
前記第１枠体は、熱可塑性エラストマーからなる、請求項１〜３のいずれか一項に記載の蓄電モジュール。
【請求項５】
前記第２枠体のヤング率は、前記第１枠体のヤング率よりも大きい、請求項１〜４のいずれか一項に記載の蓄電モジュール。
【請求項６】
前記第２シール部は、前記第２枠体を構成する材料と同じ材料を含む、請求項１〜５のいずれか一項に記載の蓄電モジュール。
【請求項７】
前記第１枠体の線膨張係数は、前記第２枠体の線膨張係数よりも小さい、請求項１〜３のいずれか一項に記載の蓄電モジュール。
【請求項８】
前記第１枠体は、樹脂部材と、前記樹脂部材の線膨張係数よりも小さい線膨張係数を有する部材とを有する、請求項７に記載の蓄電モジュール。
【請求項９】
前記樹脂部材の線膨張係数よりも小さい線膨張係数を有する前記部材は不織布である、請求項８に記載の蓄電モジュール。
【請求項１０】
前記第１枠体を構成する樹脂材料のうち最大の質量百分率を有する樹脂材料が、前記第２枠体を構成する樹脂材料のうち最大の質量百分率を有する樹脂材料と同じである、請求項１〜９のいずれか一項に記載の蓄電モジュール。
【請求項１１】
電極板と前記電極板の第１面に設けられた正極と前記電極板の第２面に設けられた負極とをそれぞれ含む複数のバイポーラ電極がセパレータを介して積層された蓄電モジュールの製造方法であって、
前記バイポーラ電極と、前記電極板の周縁部に接合された第１枠体と、前記第１枠体上に配置された第２枠体と、前記セパレータとを有する電極ユニットを準備する工程と、
前記複数のバイポーラ電極が前記セパレータを介して積層されるように、前記電極ユニットを積層する工程と、
隣り合う前記第１枠体間をシールする工程と、
を含み、
前記電極ユニットを準備する工程では、前記第１枠体の内周端と前記第２枠体の内周端とが前記電極板の厚み方向に交差する方向において互いに異なる位置にあることによって段差部が形成されており、前記段差部には、前記セパレータが配置される、蓄電モジュールの製造方法。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
上下二段に配置された第１処理ユニットおよび第２処理ユニットを備え、
前記第１処理ユニットおよび第２処理ユニットは、それぞれ、
直列に配列された複数の処理槽と、
前記複数の処理槽の外側に配列方向に延びる搬送空間を画定する隔壁と、
前記搬送空間に配置され、各処理槽間にて前記配列方向に沿って基板を搬送する搬送機構と、
前記搬送空間に前記配列方向に沿って延びるように設けられた導風ダクトと、
を有し、
前記導風ダクトにはファンフィルタユニットが接続されており、
各処理槽には第１排気ダクトが接続されており、
前記導風ダクトのうち各処理槽と対向する部分にはそれぞれ開口が形成されており、
前記第１処理ユニットの搬送空間と前記第２処理ユニットの搬送空間とは、前記隔壁により上下に分離されており、
前記搬送機構は、
基板を把持する開閉可能な一対のアームと、
前記一対のアームを前記配列方向に沿って直線移動させる配列方向移動機構と、
を有し、
前記配列方向移動機構は、前記配列方向に延びるカバーで覆われており、
前記カバーには第２排気ダクトが接続されている
ことを特徴とする基板処理装置。
【請求項２】
前記導風ダクトは、前記複数の処理槽の上方に配置されている
ことを特徴とする請求項１に記載の基板処理装置。
【請求項３】
前記搬送機構は、
前記一対のアームを上下移動させる上下移動機構と、
前記一対のアームを開閉方向と平行な回転軸を中心として回動させる回動機構と、
をさらに有する、
ことを特徴とする請求項１または２に記載の基板処理装置。
【請求項４】
前記配列方向移動機構は、前記複数の処理槽の上方に配置されており、
前記一対のアームと前記上下移動機構と前記回動機構とからなる組は、前記配列方向移動機構の下方に懸垂状に配置されている
ことを特徴とする請求項３に記載の基板処理装置。
【請求項５】
前記導風ダクトは、前記複数の処理槽と前記配列方向移動機構との間に配置されている
ことを特徴とする請求項４に記載の基板処理装置。
【請求項６】
前記ファンフィルタユニットは、前記導風ダクトの一端に接続されており、
複数の前記開口は、前記一端側に位置するものほど小さく形成されている
ことを特徴とする請求項１〜５のいずれかに記載の基板処理装置。
【請求項７】
前記配列方向において、前記開口の中心は、対向する前記処理槽の中心より前記一端側に位置決めされている
ことを特徴とする請求項６に記載の基板処理装置。
【請求項８】
前記処理槽は、洗浄モジュールである
ことを特徴とする請求項１〜７のいずれかに記載の基板処理装置。
【請求項９】
直列に配列された複数の処理槽と、
前記複数の処理槽の外側に配列方向に延びる搬送空間を画定する隔壁と、
前記搬送空間に配置され、各処理槽間にて前記配列方向に沿って基板を搬送する搬送機構と、
前記搬送空間に前記配列方向に沿って延びるように設けられた導風ダクトと、
を備え、
前記導風ダクトにはファンフィルタユニットが接続されており、
各処理槽には第１排気ダクトが接続されており、
前記導風ダクトのうち各処理槽と対向する部分にはそれぞれ開口が形成されており、
前記搬送機構は、
基板を把持する把持機構と、
前記把持機構を前記配列方向に沿って直線移動させる配列方向移動機構と、
を有し、
前記配列方向移動機構は、前記配列方向に延びるカバーで覆われており、
前記カバーには第２排気ダクトが接続されている
ことを特徴とする基板処理装置。
【手続補正書】
【提出日】令和2年6月22日(2020.6.22)
【手続補正１】
【補正対象書類名】明細書
【補正対象項目名】００１４
【補正方法】変更
【補正の内容】
【００１４】
図２は、移動ロボット１００の車輪付きロボット車両１０１と荷台１０２の上面図を示す。図２に示すように、車輪付きロボット車両１０１は、駆動輪１０６Ａ、１０６Ｂと、操縦輪１０６Ｃ、１０６Ｄを備える。いくつかの実施形態では、操縦輪１０６Ｃ、１０６Ｄは、複数の軸を中心に自由に回転する受動輪である。これらの実施形態では、操縦輪１０６Ｃ、１０６Ｄは、主に、積荷を地面に対して垂直に支持するように機能する。一方、駆動輪１０６Ａ、１０６Ｂの回転は、車輪付きロボット車両１０１の移動軌道を決定する。いくつかの他の実施形態では、操縦輪１０６Ｃ、１０６Ｄの地面に垂直な軸を中心とする向きは、能動的に制御される。また、これらの実施形態では、操縦輪１０６Ｃ、１０６Ｄは、車輪付きロボット車両１０１の移動軌道の方向を制御するように機能する。いくつかの他の実施形態では、操縦輪１０６Ｃ、１０６Ｄの回転と、操縦輪１０６Ｃ、１０６Ｄの地面に垂直な軸を中心とする向きの両方が、能動的に制御される。これらの実施形態では、操縦輪１０６Ｃ、１０６Ｄは、車輪付きロボット車両１０１の移動軌道の方向と、当該移動軌道に沿った速度の両方を制御するように機能する。
【手続補正２】
【補正対象書類名】明細書
【補正対象項目名】００２９
【補正方法】変更
【補正の内容】
【００２９】
一側面において、コンピューティングシステムはナビゲーションモデル訓練エンジンとして構成され、ナビゲーションモデルを訓練する。ナビゲーションモデルは、歩行者の歩行行動を模倣することによって、歩行者で混雑した環境において移動ロボット１００を誘導するために用いられる。いくつかの例では、コンピューティングシステム２００がナビゲーションモデル訓練エンジンとして構成される。他のいくつかの例では、外部のコンピューティング装置がナビゲーションモデル訓練エンジンとして構成される。図４は、一実施形態におけるナビゲーションモデル訓練エンジン１７０の例を示す図である。図４に示すように、ナビゲーションモデル訓練エンジン１７０は、移動センサーベースの群集分析モジュール１７１、固定センサーベースの群集分析モジュール１７２及びナビゲーションモデル訓練モジュール１７４を備える。
【手続補正３】
【補正対象書類名】明細書
【補正対象項目名】００３０
【補正方法】変更
【補正の内容】
【００３０】
移動センサーベースの群集分析モジュール１７１は、歩行者で混雑した環境を通って或る位置から他の位置まで巧みに進む行動訓練者に取り付けられたセンサーによって生成された信号１７５を受信する。信号１７５は、行動訓練者が歩行者で混雑した環境内を進んでいる間に、周期的に収集される。一例として、行動訓練者は、歩行者で混雑した環境内を人によって誘導される移動ロボット１００である。この例では、信号１７５には、移動ロボット１００が人による制御下で歩行者で混雑した環境内を進んでいる間に画像撮影システム１０７によって収集された画像データ、距離測定センサーシステム１０８によって収集された距離データ及びライダーセンサーシステム１０９によって収集された距離データが含まれる。他の例として、行動訓練者は、歩行者で混雑した環境を或る位置から他の位置まで進む特定の歩行者である。この例では、上記歩行者に一以上のセンサー（例えば、画像撮影システム１０７、距離センサーシステム１０８、ライダーセンサーシステム１０９など）が取り付けられている。信号１７５は、上記歩行者が歩行者で混雑した環境内を進んでいる間に、周期的に収集される。
【手続補正４】
【補正対象書類名】明細書
【補正対象項目名】００４７
【補正方法】変更
【補正の内容】
【００４７】
更なる側面において、ナビゲーションモデル訓練用教示データを生成するための行動訓練者は、好ましい歩行者歩行行動を強化するように選出される。図７〜８を参照して説明した例では、記録したいずれの歩行者を行動訓練者としてもよいが、行動訓練者群は好ましい歩行者歩行行動を示す行動訓練者に限定するのが望ましい。例えば、駅の或るホームから他のホームへ、ホームから出口へ、収納ロッカーからホームへ、又はこれらの逆方向に素早く移動する歩行者は、行動訓練者として好ましい。一方、人の流れの途中で立ち止まったり、人の流れに抗って移動したり、隅に移動して立ち止まったり、人の連続的な流れに対してランダムに移動する歩行者は、行動訓練者として好ましくない。このような方法で、好ましい歩行者歩行行動を示す歩行者は訓練データ群に含まれ、好ましくない歩行者歩行行動を示す歩行者は訓練データ群から除かれる。
【手続補正５】
【補正対象書類名】明細書
【補正対象項目名】００４８
【補正方法】変更
【補正の内容】
【００４８】
いくつかの例では、固定センサーベースの群集分析モジュール１７２は、信号１７６をフィルタリングして、好ましい歩行者歩行行動を示す行動訓練者を選出するように構成されている。一例として、固定センサーベースの群集分析モジュール１７２は、行動訓練者候補と付近の歩行者の移動方向における差を判定する。差が所定の閾値未満である場合、その行動訓練者候補を選出して訓練データ群に加える。一方、差が所定の閾値を超える場合、その行動訓練者候補を訓練データ群から外す。これらの例では、所定の閾値の値は、流れに追随する行動を示す（すなわち、付近の歩行者と同様の方向に移動する）行動訓練者を隔離するように設定される。
【手続補正６】
【補正対象書類名】明細書
【補正対象項目名】００５３
【補正方法】変更
【補正の内容】
【００５３】
ブロック３０２において、第１の信号群に基づいて、サンプリング時間に、一以上の歩行者各々の移動ロボットに対する速度を推定する。
【手続補正７】
【補正対象書類名】明細書
【補正対象項目名】００５７
【補正方法】変更
【補正の内容】
【００５７】
本願で説明したような方法を実行するプログラム指示１３２は、有線又は無線送信リンクなどの送信媒体を介して送信されてもよい。例えば、図３に示すように、メモリー１３０に記憶されたプログラム指示１３２は、バス１４０を介してプロセッサー１２０に送信される。プログラム指示１３２はコンピューター読取可能媒体（例えば、メモリー１３０）に記憶される。コンピューター読取可能媒体の例としては、ＲＯＭ、ＲＡＭ、磁気ディスク、光ディスク、磁気テープなどが挙げられる。
【手続補正８】
【補正対象書類名】特許請求の範囲
【補正対象項目名】請求項７
【補正方法】変更
【補正の内容】
【請求項７】
前記歩行者歩行動作の群は、特定の歩行者歩行動作に関連する行動訓練者と、付近の各歩行者の、当該特定の歩行者歩行動作中の方向における差が所定の閾値未満である場合に、より大きな歩行者歩行動作の群の中から選出されていることを特徴とする請求項６に記載のシステム。
【手続補正９】
【補正対象書類名】特許請求の範囲
【補正対象項目名】請求項１５
【補正方法】変更
【補正の内容】
【請求項１５】
前記歩行者歩行動作の群は、特定の歩行者歩行動作に関連する行動訓練者と、付近の各歩行者の、当該特定の歩行者歩行動作中の方向における差が所定の閾値未満である場合に、より大きな歩行者歩行動作の群の中から選出されていることを特徴とする請求項１４に記載のシステム。